(57)【要約】【課題】階段空間が複雑な形状空間である場合であっても、階段空間の広い領域で人を検知することができ適切に照明器具の点灯を行うことができる照明装置を提供することである。【解決手段】階段空間の所定の領域に人が存在することを検出する人感センサを階段空間のいずれかの箇所に設置し、人感センサ１１には人感センサ用電源線１６から電源を供給する。一方、人感センサ１１が人の存在を検出したときは、人が存在する所定の領域を所定の明るさで点灯する照明器具１４を人感センサ１１とは別の位置に設置し、照明器具１４には人感センサ電源線１６とは別系統で形成された照明器具の電源線１７から電源を供給する。【選択図】  図１
2007335273.tif 000002
【特許請求の範囲】
【請求項１】
階段空間のいずれかの箇所に設置され専用の電源線からの電源供給によって前記階段空間の所定の領域に人が存在することを検出する人感センサと；
前記人感センサの電源線とは別系統で形成される電源線から電源が供給されるとともに、前記人感センサとは別の位置に設置され前記人感センサが人の存在を検出したときは人が存在する所定の領域を所定の明るさで点灯するように人感センサと接続された照明器具と；
を備えたことを特徴とする照明装置。
【請求項２】
前記人感センサは、前記人感センサの電源線から供給される電源を入切する電源スイッチを備えたことを特徴とする請求項１記載の照明装置。
【発明の詳細な説明】
【技術分野】
【０００１】
本発明は、階段室や階段及び／又はその踊り場等の階段空間の人の存在を検出し、ランプを点灯させて階段空間を照明する照明装置に関する。
【背景技術】
【０００２】
階段室や階段、階段の踊り場等の階段空間を照明するための照明装置として、階段空間の人の存在を人感センサで検出してランプを点灯するようにしたものがある（例えば、特許文献１、特許文献２参照）。
【０００３】
特許文献１のものは、階段と踊り場及び階段室からなる階段部の内、少なくとも２ヵ所以上の検知領域で人の存否を検知する検知ビームを備えた人感センサを照明器具に取り付け、また、人の存否を検知する距離を調整する距離調整手段や検知ビームの角度を調整する角度調整手段を備えた人感センサを照明器具に取り付けて、階段の途中にいる人をも検知して階段空間を照明するようにしている。
【０００４】
特許文献２のものは、赤外線センサ（人感センサ）の検出ビームを鉛直方向に角度調整可能に、また、赤外線センサ（人感センサ）の受光面の器具本体からの突出量を調整可能に、赤外線センサを照明器具に取り付けて、階段空間の人の存在を検出して階段空間を照明するようにしている。
【特許文献１】特開平９−３０４５４８号公報
【特許文献２】特開２００３−２８１９８３号公報
【発明の開示】
【発明が解決しようとする課題】
【０００５】
しかし、特許文献１や特許文献２のものでは、人感センサと照明器具とは一体的に取り付けられているため、人感センサでの人の検知範囲が限られ、階段空間が複雑な形状空間である場合には、階段空間のすべての領域で人を検知することができない場合がある。階段空間に人が存在するにもかかわらず、人感センサが人を検出することができないと、適切に照明器具を点灯することができない。
【０００６】
本発明の目的は、階段空間が複雑な形状空間である場合であっても、階段空間の広い領域で人を検知することができ適切に照明器具の点灯を行うことができる照明装置を提供することである。
【課題を解決するための手段】
【０００７】
請求項１の発明に係わる照明装置は、階段空間のいずれかの箇所に設置され専用の電源線からの電源供給によって前記階段空間の所定の領域に人が存在することを検出する人感センサと；前記人感センサの電源線とは別系統で形成される電源線から電源が供給されるとともに、前記人感センサとは別の位置に設置され前記人感センサが人の存在を検出したときは人が存在する所定の領域を所定の明るさで点灯するように人感センサと接続された照明器具と；を備えたことを特徴とする。
【０００８】
本発明及び以下の発明において、特に指定しない限り用語の定義及び技術的意味は以下による。
【０００９】
階段空間とは、階段室、階段、階段の踊り場等であり、階段空間のいずれかの箇所とは、階段空間を形成する物体、例えば、天井面、壁面、床面、手摺り等の人の存在を検出するのに適した箇所である。人感センサは、例えば赤外線センサであり、人感センサが人の存在を検出する所定の領域とは、人感センサの設置箇所から垂直方向及び水平方向の所定の角度範囲及び所定の距離範囲である。垂直方向の所定の角度範囲は、例えば約８０°であり、水平方向の角度範囲は、例えば約５０°であり、所定の距離範囲は、例えば１０ｍである。また、垂直方向については、上下方向の向きを可変にしたものを用いることも可能である。
【００１０】
人感センサの電源線は、人感センサの作動に必要な電源を供給する電源線であり、通常、商用電源から引き出される電源線である。
【００１１】
「人感センサとは別の位置に設置され」とは、人感センサと照明器具とは一体的でなく、別個に構成され、それぞれ階段空間の別の位置に設置されることを意味する。人感センサは人の存在を検出し易い位置に設置され、照明器具は人が存在する領域を適切に照明できる位置に設置される。
【００１２】
所定の明るさで点灯とは、例えば照明器具の１００％点灯とすることをいう。人が存在しないときは消灯または照明器具の２５％点灯としておき、人の存在が検出されたときは照明器具の１００％点灯とする。
【００１３】
照明器具の電源線は、照明器具の点灯に必要な電源を供給する電源線であり、通常、商用電源から引き出される電源線である。「人感センサ電源線とは別系統で形成され」とは、人感センサの電源線と照明器具の電源線とはそれぞれ独立して商用電源から引き出されること、または、照明器具ないし人感センサから送り配線によって商用電源が別個に供給されることである。
【００１４】
請求項２の発明に係わる照明装置は、請求項１の発明において、前記人感センサは、前記人感センサの電源線から供給される電源を入切する電源スイッチを備えたことを特徴とする。
【００１５】
人感センサに設けられた電源スイッチは、人感センサに供給される人感センサの作動に必要な電源を入切するものである。これにより、照明器具とは独立して人感センサのみの電源の入切を可能としている。
【発明の効果】
【００１６】
請求項１の発明によれば、人感センサと照明器具とは別個に構成され、それぞれ階段空間の別の位置に設置されるので、人感センサは人の存在を検出し易い位置に設置でき、照明器具は人が存在する領域を適切に照明できる位置に設置できる。従って、階段空間が複雑な形状空間である場合であっても、階段空間の広い領域で人を検知することができ適切に照明器具による照明を行うことができる。
【００１７】
請求項２の発明によれば、人感センサの電源線から供給される電源を入切する電源スイッチを設けたので、照明器具とは独立して人感センサのみの電源の入切が可能となり、照明器具の使用状況または設置状況に応じて、照明器具を人感センサから独立させて容易に制御できるようになる。
【発明を実施するための最良の形態】
【００１８】
図１は本発明の実施の形態に係わる照明装置の一例を示す構成図である。図１において、人の存在を検出する人感センサ１１は階段空間に設置される。すなわち、階段室、階段、階段の踊り場等の天井面、壁面、床面、手摺り等に設置される。人感センサ１１は人感センサ親機１１ａと人感センサ子機１１ｂとから構成されおり、人感センサ子機１１ｂは信号線１２を介して人感センサ親機１１ａに接続されている。図１では、人感センサ子機１１ｂは１台である場合を示しているが、複数台の人感センサ子機１１ｂを設けるようにしてもよい。
【００１９】
人感センサ親機１１ａ及び人感センサ子機１１ｂは、それぞれ自己が受け持つ階段空間の所定の領域に人が存在することを検出するものであり、人感センサ子機１１ｂでの検出信号は信号線１２を介して人感センサ親機１１ａに送信される。人感センサ親機１１ａは自己の検出信号及び人感センサ子機１１ｂのいずれかが人の存在を検出したときは、信号線１３を介して照明器具１４に点灯指令を出力する。
【００２０】
また、人感センサ親機１１ａには、例えば商用電源１５から人感センサの電源線１６を介して電源が供給され、さらに、人感センサ子機１１ｂには人感センサ親機１１ａから人感センサの電源線１６を介して電源が供給される。
【００２１】
一方、照明器具１４は階段空間を照明するのに適した位置に配置され、人感センサ親機１１ａから信号線１３を介して得られた人の存在の検出信号により点灯する。そして、照明器具１４の照明器具用電源は、例えば商用電源１５から照明器具の電源線１７を介して照明器具１４に供給される。このように、人感センサ１１と照明器具１４への電源は、商用電源１５から別系統で供給される。また、人感センサ１１と照明器具１４は一体的でなく別個に形成されるので、照明器具１４の配置位置に制限されることなく、人感センサ１１を階段空間の所望の位置に配置することが可能となる。
【００２２】
図２は本発明の実施の形態に係わる照明装置の他の一例を示す構成図である。図２において、人感センサの電源線１６を照明器具１４を経由して人感センサ親機１１ａに接続し、さらに人感センサ親機１１ａから人感センサ子機１１ｂに人感センサの電源線１６を接続し、商用電源１５から人感センサ親機１１ａ及び人感センサ子機１１ｂに電源を供給するようしている。このように、商用電源１５から照明器具１４を経由して人感センサ１１に人感センサ用電源を供給する場合には、後述するように、信号線１３の配線と併せて配線工事ができるので、作業性が向上する。
【００２３】
図３は本発明の実施の形態に係わる照明装置を階段空間に設置した場合の一部切欠斜視図である。図３は階段の踊り場の壁面に照明装置を取り付けた場合を示している。
【００２４】
図３に示すように、照明器具１４は階段空間を形成する壁面１８ａに設置され、人感センサ親機１１ａは照明器具１４と同じ壁面１８ａに配置されている。一方、人感センサ子機１１ｂは、人感センサ親機１１ａ及び照明器具１４が配置された壁面１８ａとは異なる壁面１８ｂに配置されている。
【００２５】
また、人感センサ親機１１ａと人感センサ子機１１ｂとを接続する信号線１２や照明器具１４とを接続する人感センサ親機１１ａとの信号線１３、さらには、人感センサの電源線１６や照明器具の電源線１７は、壁面１８ａ、１８ｂ側に配線され配線カバー１９で覆った場合を示している。
【００２６】
このように、人感センサ１１と照明器具１４とは一体的でなく別個に形成され、また、人感センサ親機１１ａと人感センサ子機１１ｂとはそれぞれ別個に形成されるので、照明器具１４の配置位置に制限を受けることなく、人感センサ親機１１ａや人感センサ子機１１ｂは所望の位置に配置できる。図３では、人感センサ親機１１ａは、主として右手前の階段及び踊り場に人が存在するか否かを検出しており、人感センサ子機１１ｂは、主として左側の階段及び踊り場に人が存在するか否かを検出している。この場合、人感センサ親機１１ａや人感センサ子機１１ｂは、照明器具１４とは一体的でなく別個であるので、検出方向に向けて配置することができる。従って、階段空間が複雑な形状をしている場合であっても、人の存在を検出する領域に対して、適切に人感センサ親機１１ａや人感センサ子機１１ｂを設置できる。
【００２７】
図３では、人感センサ子機１１ｂ側の配線処理については壁面１８ａ、１８ｂ側に配線し配線カバー１９で覆った場合を示したが、壁面１８ａ、１８ｂ内に配線することも可能である。この場合、配線カバー１９が露出配置する必要がなくなるので、照明器具１４から人感センサ子機１１ｂを離間配置しても意匠性が低下することがない。
【００２８】
図４は、人感センサ親機１１ａの斜視図である。人感センサ本体２０の正面部（図４では上面方向）には人の存在を検出するためのセンサ部２１が設けられている。例えば、赤外線センサである場合には、センサ部２１から赤外線を送信し、人に当たって反射した赤外線を受信して人の存在を検出する。この場合、人感センサ親機１１ａは、その設置箇所から所定の領域を検出領域として人の存在を検出することになる。例えば、赤外線センサの場合、人の存在を検出する所定の領域として、人感センサ親機１１ａの設置箇所から所定の距離範囲は例えば１０ｍであり、垂直方向の角度範囲は例えば約８０°、水平方向の角度範囲は例えば約５０°である。この領域内に人が存在するときは、人がいるとの検出信号を出力することになる。
【００２９】
また、人感センサ本体２０のセンサ部２１が取り付けられた正面部の周囲部（図４では前面方向）には、人感センサの電源線から供給される電源を入切する電源スイッチ２２が設けられている。この電源スイッチ２２は、人感センサ親機１１ａの作動に必要な電源を照明器具１４への電源とは独立して入切するものである。例えば、通行人数が多い昼間時間帯に照明器具１４が不点の状態で電源スイッチ２２を切りとすることにより、昼間時間帯の不要な照明を省略することができ省エネルギーに貢献できる。また、照明器具１４を常に点灯状態にしておきたい場合でも、照明器具１４が点灯している状態で人感センサ１１を切りとすることにより、点灯状態を維持することができるので、通行人数が比較的多く、頻繁に照明の切り替えを行いたくない場合にも対応することができる。なお、本実施の形態においては、電源スイッチ２２が人感センサ本体２０の周囲部に設けられており、人感センサ２０が壁面等に取り付けられた状態において、誤って電源スイッチ２２が操作されにくいようになっている。
【００３０】
次に、図５は照明器具１４及び配線カバー１９の斜視図である。図５において、照明器具１４の端部には、信号線１３や人感センサの電源線１６を通すための切欠穴２３が設けられ、その切欠穴２３の上部に連結取付金具２４が固定金具２５により固定されている。連結取付金具２４の固定金具２５との連結は、連結取付金具２４の突起部を固定金具２５の係止部に挿入することによって連結する。これにより、ネジ等を使用しなくても連結できる。また、この連結取付金具２４の先端部には人感センサ親機１１ａまたは人感センサ子機１１ｂが取り付けられる。そして、照明器具１４と人感センサ親機１１ａまたは人感センサ子機１１ｂとの間には配線カバー１９が取り付けられる。
【００３１】
配線カバー１９は絶縁材料で形成され、連結取付金具２４により保持されるための切込溝２６を有するとともに内部を区分する隔壁２７を有する。そして、この切込溝２６に連結取付金具２４を通すことにより、信号線１２、１３と人感センサの電源線１６とを通す２つの通路が形成される。
【００３２】
図６は連結取付金具２４で連結された照明器具１４と人感センサ親機１１ａとの側面図である。連結取付金具２４の先端部には人感センサ親機１１ａが取り付けられ、照明器具１４と人感センサ親機１１ａとの間の連結取付金具２４には、配線カバー１９が装着されている。この配線カバー１９は前述したように隔壁２７により２つの通路が形成され、一方の通路路には信号線１２、１３を通し、他方の通路には人感センサの電源線１６を通す。
【００３３】
これにより、電源線及び信号線の引き込み接続において、電気設備技術基準第５章の第１８９条による要件を満たし、かつ、ネジ等を使用せずに、配線通路を形成することができるので施工性が向上する。また、別々に配置される照明器具１４と人感センサ親機１１ａ（人感センサ子機１１ｂ）とを連結取付金具２４の長さや方向を調整することにより、一体化させることができるので施工性が向上する。
【００３４】
ここで、照明器具１４と人感センサ１１との距離が長くなると、照明器具１４と人感センサ１１との間を連結する連結取付金具２４も長物となり、人感センサ１１や連結取付金具２４自体の荷重により連結取付金具２４がたわみ、垂れ下がることがある。そこで、連結取付金具２４の照明器具１４への固定部分に、連結取付金具２４の垂れ下がりを防止するための傾斜面を設ける。これにより、連結取付金具２４の垂れ下がりを防止する。
【００３５】
以上述べたように、本発明の実施の形態によれば、人感センサ１１と照明器具１４とは一体的でなく別個に形成されるので、照明器具１４の配置位置に制限されることなく、人感センサ１１を階段空間の所望の位置に配置することが可能となる。従って、階段空間が複雑な形状をしている場合であっても、人の存在を検出する領域に対して、適切に人感センサ親機１１ａや人感センサ子機１１ｂを設置できる。また、人感センサ親機１１ａの作動に必要な電源を照明器具１４への電源とは独立して入切する電源スイッチ２２を設けたので、昼間時間帯の不要な照明を省略することが可能となり、省エネルギーに貢献できる。
【図面の簡単な説明】
【００３６】
【図１】本発明の実施の形態に係わる照明装置の一例を示す構成図。
【図２】本発明の実施の形態に係わる照明装置の他の一例を示す構成図。
【図３】本発明の実施の形態に係わる照明装置を階段空間に設置した場合の一部切欠斜視図。
【図４】本発明の実施の形態における人感センサ親機の斜視図。
【図５】本発明の実施の形態における照明器具及び配線カバーの斜視図。
【図６】本発明の実施の形態における連結取付金具で連結された照明器具と人感センサ親機１１の側面図。
【符号の説明】
【００３７】
１１…人感センサ、１１ａ…人感センサ親機、１１ｂ…人感センサ子機、１２…信号線、１３…信号線、１４…照明器具、１５…商用電源、１６…人感センサの電源線、１７…照明器具の電源線、１８…壁面、１９…配線カバー、２０…人感センサ本体、２１…センサ部、２２…電源スイッチ、２３…切欠穴、２４…連結取付金具、２５…固定金具、２６…切込溝、２７…隔壁
【図１】
2007335273.tif 000003
【図２】
2007335273.tif 000004
【図３】
2007335273.tif 000005
【図４】
2007335273.tif 000006
【図５】
2007335273.tif 000007
【図６】
2007335273.tif 000008